(57)【要約】【課題】より高い偽造防止効果を達成可能とする。【解決手段】本発明の表示体１０は、二次元的に配列した複数の画素ＰＸを備え、前記複数の画素ＰＸの２つ以上は、５００ｎｍ以下の中心間距離で配列した複数の凹部又は凸部からなり、第１方向から白色光で照明した場合に回折光を第２方向に射出する構造ＤＳ１を含み、前記２つ以上の画素ＰＸは、前記第１方向から前記回折光と波長が等しい単色光で照明して前記第２方向から観察した場合に階調画像を表示し、前記階調画像を表示する前記２つ以上の画素ＰＸは、前記第１方向から前記単色光で照明した場合に、それらの一部の画素と他の一部の画素とが前記第２方向に前記回折光を異なる強度で射出するように構成されていることを特徴とする。【選択図】      図３
2010038940.tif 000002
【特許請求の範囲】
【請求項１】
二次元的に配列した複数の画素を備えた表示体であって、
前記複数の画素の２つ以上は、５００ｎｍ以下の第１中心間距離で配列した複数の凹部又は凸部からなり、第１方向から白色光で照明した場合に第１回折光を第２方向に射出する第１構造を含み、
前記２つ以上の画素は、前記第１方向から前記第１回折光と波長が等しい第１単色光で照明して前記第２方向から観察した場合に第１階調画像を表示し、
前記第１階調画像を表示する前記２つ以上の画素は、前記第１方向から前記第１単色光で照明した場合に、それらの一部の画素と他の一部の画素とが前記第２方向に前記第１回折光を異なる強度で射出するように構成されていることを特徴とする表示体。
【請求項２】
前記第１階調画像を表示する前記一部の画素と前記他の一部の画素とは、前記第１構造が占める面積が異なっていることを特徴とする請求項１に記載の表示体。
【請求項３】
前記第１構造が占める面積が異なっている前記一部の画素及び前記他の一部の画素のうち、少なくとも前記面積がより小さい画素は、前記第１構造と表示面に平行な方向に隣り合い、５００ｎｍ以下の中心間距離で配列した複数の凹部又は凸部からなり、前記第１方向から前記白色光で照明した場合に回折光を前記第２方向に射出しない構造を更に含んでいることを特徴とする請求項２に記載の表示体。
【請求項４】
一方の主面に前記第１構造が設けられた光透過層と、光透過層と向き合った光吸収層とを具備したことを特徴とする請求項２に記載の表示体。
【請求項５】
前記第１階調画像を表示する前記一部の画素と前記他の一部の画素とは、前記第１構造を構成している前記複数の凹部の深さ又は前記複数の凸部の高さが異なっていることを特徴とする請求項１に記載の表示体。
【請求項６】
前記複数の画素の２つ以上は、５００ｎｍ以下の第２中心間距離で配列した複数の凹部又は凸部からなり、前記第１方向から前記白色光で照明した場合に前記第１回折光とは波長が異なる第２回折光を前記第２方向に射出する第２構造を含み、
各々が前記第２構造を含んだ前記２つ以上の画素は、前記第１方向から前記第２回折光と波長が等しい第２単色光で照明して前記第２方向から観察した場合に第２階調画像を表示し、
前記第２階調画像を表示する前記２つ以上の画素は、前記第１方向から前記第２単色光で照明した場合に、それらの一部の画素と他の一部の画素とが前記第２方向に前記第２回折光を異なる強度で射出するように構成されており、
前記複数の画素の２つ以上は、５００ｎｍ以下の第３中心間距離で配列した複数の凹部又は凸部からなり、前記第１方向から前記白色光で照明した場合に前記第１及び第２回折光とは波長が異なる第３回折光を前記第２方向に射出する第３構造を含み、
各々が前記第３構造を含んだ前記２つ以上の画素は、前記第１方向から前記第３回折光と波長が等しい第３単色光で照明して前記第２方向から観察した場合に第３階調画像を表示し、
前記第３階調画像を表示する前記２つ以上の画素は、前記第１方向から前記第３単色光で照明した場合に、それらの一部の画素と他の一部の画素とが前記第２方向に前記第３回折光を異なる強度で射出するように構成されていることを特徴とする請求項１に記載の表示体。
【請求項７】
前記第１階調画像を表示する前記一部の画素と前記他の一部の画素とは、前記第１構造が占める面積が異なっており、
前記第２階調画像を表示する前記一部の画素と前記他の一部の画素とは、前記第２構造が占める面積が異なっており、
前記第３階調画像を表示する前記一部の画素と前記他の一部の画素とは、前記第３構造が占める面積が異なっていることを特徴とする請求項６に記載の表示体。
【請求項８】
前記第１構造が占める面積が異なっている前記一部の画素及び前記他の一部の画素のうち、少なくとも前記面積がより小さい画素は、前記第１構造と表示面に平行な方向に隣り合い、５００ｎｍ以下の第４中心間距離で配列した複数の凹部又は凸部からなり、前記第１方向から前記白色光で照明した場合に回折光を前記第２方向に射出しない構造を更に含み、
前記第２構造が占める面積が異なっている前記一部の画素及び前記他の一部の画素のうち少なくとも前記面積がより小さい画素は、前記第２構造と表示面に平行な方向に隣り合い、５００ｎｍ以下の第５中心間距離で配列した複数の凹部又は凸部からなり、前記第１方向から前記白色光で照明した場合に回折光を前記第２方向に射出しない構造を更に含み、
前記第３構造が占める面積が異なっている前記一部の画素及び前記他の一部の画素のうち少なくとも前記面積がより小さい画素は、前記第３構造と表示面に平行な方向に隣り合い、５００ｎｍ以下の第６中心間距離で配列した複数の凹部又は凸部からなり、前記第１方向から前記白色光で照明した場合に回折光を前記第２方向に射出しない構造を更に含んでいることを特徴とする請求項７に記載の表示体。
【請求項９】
前記第４乃至第６中心間距離の各々は前記第１乃至第３中心間距離と比較してより短いことを特徴とする請求項８に記載の表示体。
【請求項１０】
一方の主面に前記複数の第１乃至第３構造が設けられた光透過層と、光透過層と向き合った光吸収層とを具備したことを特徴とする請求項７に記載の表示体。
【請求項１１】
前記第１階調画像を表示する前記一部の画素と前記他の一部の画素とは、前記第１構造を構成している前記複数の凹部の深さ又は前記複数の凸部の高さが異なっており、
前記第２階調画像を表示する前記一部の画素と前記他の一部の画素とは、前記第２構造を構成している前記複数の凹部の深さ又は前記複数の凸部の高さが異なっており、
前記第３階調画像を表示する前記一部の画素と前記他の一部の画素とは、前記第３構造を構成している前記複数の凹部の深さ又は前記複数の凸部の高さが異なっていることを特徴とする請求項６に記載の表示体。
【請求項１２】
請求項１乃至１１の何れか１項に記載の表示体と、これを支持した物品とを具備したことを特徴とするラベル付き物品。
【発明の詳細な説明】
【技術分野】
【０００１】
本発明は、例えば偽造防止効果を提供する表示技術に関する。
【背景技術】
【０００２】
一般に、商品券及び小切手などの有価証券類、クレジットカード、キャッシュカード及びＩＤカードなどのカード類、並びにパスポート及び免許証などの証明書類には、それらの偽造を防止するために、通常の印刷物とは異なる視覚効果を有する表示体が貼り付けられている。また、近年、これら以外の物品についても、偽造品の流通が社会問題化している。そのため、そのような物品に対しても、同様の偽造防止技術を適用する機会が増えてきている。
【０００３】
通常の印刷物とは異なる視覚効果を有している表示体としては、複数の溝を並べてなる回折格子を含んだ表示体が知られている。この表示体には、例えば、観察条件に応じて変化する像を表示させることや、立体像を表示させることができる。また、回折格子が表現する虹色に輝く分光色は、通常の印刷技術では表現することができない。そのため、回折格子を含んだ表示体は、偽造防止対策が必要な物品に広く用いられている。
【０００４】
この表示体では、複数の溝を形成してなるレリーフ型の回折格子を使用することが一般的である。レリーフ型回折格子は、通常、フォトリソグラフィを利用して製造した原版から複製することにより得られる。例えば、特許文献１及び２には、回折格子を形成するために、一方の主面に感光性レジストを塗布した平板状の基板をＸＹステージ上に載置し、コンピュータ制御のもとでステージを移動させながら感光性レジストに電子ビームを照射することにより、感光性レジストをパターン露光することが記載されている。また、非特許文献１には、二光束干渉を利用して回折格子を形成することが記載されている。
【０００５】
レリーフ型回折格子の製造では、通常、このようにして得られた原版を用い、電鋳等の方法により金属製のスタンパを作製する。
【０００６】
次いで、この金属製スタンパを母型として用いて、レリーフ型の回折格子を複製する。即ち、まず、例えば、ポリカーボネート又はポリエステルからなる透明基材上に、熱可塑性樹脂又は光硬化性樹脂を塗布する。次に、塗膜に金属製スタンパを密着させ、この状態で樹脂層に熱又は光を与える。樹脂が硬化した後、硬化した樹脂から金属製スタンパを剥離することにより、レリーフ型回折格子を得る。
【０００７】
一般に、このレリーフ型回折格子は透明である。従って、通常、レリーフ構造を設けた樹脂層上には、蒸着法を用いてアルミニウムなどの金属又は誘電体を単層又は多層に堆積させることにより反射層を形成する。
【０００８】
その後、このようにして得られた表示体を、例えば紙又はプラスチックフィルムからなる基材上に接着層又は粘着層を介して貼り付ける。以上のようにして、偽造防止対策を施した印刷物を得る。
【０００９】
先の説明から明らかなように、レリーフ型回折格子を含んだ表示体の製造に使用する原版は、それ自体の製造が困難である。また、金属製スタンパから樹脂層へのレリーフ構造の転写は、高い精度で行わなければならない。即ち、レリーフ型回折格子を含んだ表示体の製造には高い技術が要求される。
【００１０】
しかしながら、偽造防止対策が必要な物品の多くでレリーフ型回折格子を含んだ表示体が用いられるようになった結果、この技術が広く認知され、これに伴い、偽造品の発生も増加する傾向にある。そのため、回折光によって虹色の光を呈することのみを特徴とした表示体を用いて十分な偽造防止効果を達成することが難しくなってきている。
【特許文献１】特開平２−７２３２０号公報
【特許文献２】米国特許第５０５８９９２号明細書
【非特許文献１】辻内順平著、「ホログラフィー」、丸善株式会社
【発明の開示】
【発明が解決しようとする課題】
【００１１】
本発明の目的は、より高い偽造防止効果を達成可能とすることにある。
【課題を解決するための手段】
【００１２】
本発明の第１側面によると、二次元的に配列した複数の画素を備えた表示体であって、前記複数の画素の２つ以上は、５００ｎｍ以下の第１中心間距離で配列した複数の凹部又は凸部からなり、第１方向から白色光で照明した場合に第１回折光を第２方向に射出する第１構造を含み、前記２つ以上の画素は、前記第１方向から前記第１回折光と波長が等しい第１単色光で照明して前記第２方向から観察した場合に第１階調画像を表示し、前記第１階調画像を表示する前記２つ以上の画素は、前記第１方向から前記第１単色光で照明した場合に、それらの一部の画素と他の一部の画素とが前記第２方向に前記第１回折光を異なる強度で射出するように構成されていることを特徴とする表示体が提供される。
【００１３】
本発明の第２側面によると、第１側面に係る表示体と、これを支持した物品とを具備したことを特徴とするラベル付き物品が提供される。
【発明の効果】
【００１４】
本発明によると、より高い偽造防止効果を達成することが可能となる。
【発明を実施するための最良の形態】
【００１５】
以下、本発明の態様について、図面を参照しながら詳細に説明する。なお、同様又は類似した機能を発揮する構成要素には全ての図面を通じて同一の参照符号を付し、重複する説明は省略する。
【００１６】
図１は、本発明の一態様に係る表示体を概略的に示す平面図である。図２は、図１に示す表示体の一部を拡大して示す平面図である。図３は、図２に示す表示体のＩＩＩ−ＩＩＩ線に沿った断面図である。
【００１７】
なお、図１乃至図３において、Ｘ１方向及びＹ１方向は、表示体１０の表示面に平行であり且つ互いに交差する方向である。また、Ｙ１方向は、Ｘ１方向及びＹ１方向に対して垂直な方向である。ここでは、一例として、Ｘ１方向とＹ１方向とは、互いに直交しているとする。
【００１８】
この表示体１０は、図３に示すように、光透過層１１と反射層１３との積層体を含んでいる。ここでは、光透過層１１側を前面側とし、反射層１３側を背面側としている。
【００１９】
光透過層１１と反射層１３との界面には、レリーフ構造、即ち、凸構造及び／又は凹構造が設けられている。このレリーフ構造は、後で説明する構造ＤＳ１乃至ＤＳ３を構成している。なお、図２及び図３において、参照符号ＢＡは、光透過層１１と反射層１３との界面のうち構造ＤＳ１乃至ＤＳ３が設けられていない領域を表している。
【００２０】
光透過層１１の材料としては、例えば、熱可塑性樹脂又は光硬化性樹脂を使用することができる。このような樹脂を使用すると、原版を用いた転写により、一方の主面に凸構造及び／又は凹構造が設けられた光透過層１１を形成することができる。
【００２１】
光透過層１１は、光透過性基材１１１と光透過性樹脂層１１２とを含んでいる。光透過性基材１１１と光透過性樹脂層１１２とは、積層体を形成している。光透過層１１は、単層構造を有していてもよい。或いは、光透過層１１は、３層以上の多層構造を有していてもよい。
【００２２】
光透過性基材１１１は、それ自体を単独で取り扱うことが可能なフィルム又はシートである。光透過性基材１１１の材料としては、例えば、ポリカーボネート及びポリエステルなどの光透過性を有する樹脂を使用することができる。
【００２３】
光透過性樹脂層１１２は、光透過性基材１１１上に形成された層である。光透過層１１は、例えば、光透過性基材１１１上に熱可塑性樹脂又は光硬化性樹脂を塗布し、この塗膜に原版を押し当てながら樹脂を硬化させることにより得られる。光透過性基材１１１は、省略することができる。
【００２４】
反射層１３としては、例えば、アルミニウム、銀、金、及びそれらの合金などの金属材料からなる金属層を使用することができる。或いは、反射層１３として、光透過層１１とは屈折率が異なる誘電体層を使用してもよい。或いは、反射層１３として、隣り合うもの同士の屈折率が異なる誘電体層の積層体、即ち、誘電体多層膜を使用してもよい。なお、誘電体多層膜が含む誘電体層のうち光透過層１１と接触しているものの屈折率は、光透過層１１の屈折率とは異なっていることが望ましい。反射層１３は、例えば、真空蒸着法及びスパッタリング法などの気相堆積法により形成することができる。
【００２５】
光透過層１１及び反射層１３の一方は、省略することができる。但し、表示体１０が光透過層１１及び反射層１３の双方を含んでいる場合、それらの一方のみを含んでいる場合と比較して、先の界面の損傷を生じ難く、表示体１０に視認性がより優れた像を表示させることができる。
【００２６】
この表示体１０は、接着層、粘着層及び樹脂層などの他の層を更に含むことができる。接着層又は粘着層は、例えば、反射層１３を被覆するように設ける。表示体１０が光透過層１１及び反射層１３の双方を含んでいる場合、通常、反射層１３の表面の形状は、光透過層１１と反射層１３との界面の形状とほぼ等しい。接着層又は粘着層を設けると、反射層１３の表面が露出するのを防止できるため、先の界面の凸構造及び／又は凹構造の偽造を目的とした複製を困難とすることができる。
【００２７】
光透過層１１側を背面側とし、反射層１３側を前面側とする場合、接着層又は粘着層は、光透過層１１上に形成する。この場合、光透過層１１と反射層１３との界面に設けられたレリーフ構造ではなく、反射層１３と外界との界面に設けられたレリーフ構造が構造ＤＳ１乃至ＤＳ３を構成する。
【００２８】
樹脂層は、光透過層１１及び反射層１３の積層体に対して前面側に設ける。例えば、光透過層１１側を背面側とし、反射層１３側を前面側とする場合、反射層１３を樹脂層によって被覆すると、反射層１３の損傷を抑制できるのに加え、その表面の凸構造及び／又は凹構造の偽造を目的とした複製を困難とすることができる。
【００２９】
この表示体１０は、図２及び図３に示すように、複数の画素ＰＸを含んでいる。画素ＰＸは、２次元的に配列している。具体的には、画素ＰＸは、図２に示すように、各々が四角形状を有しており、Ｘ１方向とＹ１方向とに配列している。
【００３０】
画素ＰＸの各々は、小さな寸法を有しており、肉眼で互いから識別することが不可能であるか又は困難である。各画素ＰＸの最大寸法は、例えば、３μｍ乃至３００μｍの範囲内にある。典型的には、画素ＰＸは、各辺の長さが３μｍ乃至３００μｍの範囲内にある略四角形状を有している。
【００３１】
画素ＰＸの各々は、第１乃至第３サブ画素を含んでいる。典型的には、各画素ＰＸにおける第１乃至第３サブ画素の相対的な位置は、画素ＰＸ間で互いに等しい。第１乃至第３サブ画素は、面積が互いに等しくてもよく、異なっていてもよい。
【００３２】
第１サブ画素において、光透過層１１と反射層１３との界面は、構造ＤＳ１及び領域ＢＡの少なくとも一方からなる。第２サブ画素において、光透過層１１と反射層１３との界面は、構造ＤＳ２及び領域ＢＡの少なくとも一方からなる。第３サブ画素において、光透過層１１と反射層１３との界面は、構造ＤＳ３及び領域ＢＡの少なくとも一方からなる。
【００３３】
構造ＤＳ１乃至ＤＳ３の各々は、短い中心間距離で配列した複数の凸部又は凹部からなる。構造ＤＳ１乃至ＤＳ３の各々は、回折格子の如く回折光を射出する機能を有している。そして、構造ＤＳ１乃至ＤＳ３の各々は、領域ＢＡと比較して反射率が遥かに小さい。
【００３４】
構造ＤＳ１乃至ＤＳ３について、更に詳しく説明する。  
図４は、図１乃至図３に示す表示体が含んでいる構造を概略的に示す斜視図である。なお、図４には、光透過層１１側から見た構造ＤＳ１乃至ＤＳ３を描いている。また、図４において、Ｘ２及びＹ２方向は互いに直交し且つＺ１方向に対して垂直な方向であり、Ｚ２方向はＺ１方向に対して平行な方向である。
【００３５】
構造ＤＳ１は、表示面に平行な方向、即ち、Ｚ２方向に対して垂直な方向に隣り合っている。構造ＤＳ１は、Ｘ２方向とＹ２方向とに小さな中心間距離ｄ１で配列した凸部ＰＲ１によって構成されている。構造ＤＳ２は、Ｘ２方向とＹ２方向とに小さな中心間距離ｄ２で配列した凸部ＰＲ２によって構成されている。そして、構造ＤＳ３は、Ｘ２方向とＹ２方向とに小さな中心間距離ｄ３で配列した凸部ＰＲ３によって構成されている。これら構造ＤＳ１乃至ＤＳ３は、それらを或る方向から白色光で照明した場合に、同一の方向に異なる波長の回折光を射出するように設計されている。
【００３６】
中心間距離ｄ１は、５００ｎｍ以下であり、典型的には４５０ｎｍ以下であり、一例によると４００ｎｍ以下である。中心間距離ｄ２は、中心間距離ｄ１と比較してより短い。中心間距離ｄ３は、中心間距離ｄ２と比較してより短い。中心間距離ｄ１乃至ｄ３は、例えば２００ｎｍ以上である。構造ＤＳ１、ＤＳ２及びＤＳ３にそれぞれ赤、緑及び青色の回折光を射出させる場合、中心間距離ｄ１は例えば３７０ｎｍ乃至３９０ｎｍの範囲内とし、中心間距離ｄ２は例えば３２０ｎｍ乃至３４０ｎｍの範囲内とし、中心間距離ｄ３は例えば２８０ｎｍ乃至３００ｎｍの範囲内とする。
【００３７】
凸部ＰＲ１のＹ２方向についての中心間距離は、凸部ＰＲ１のＸ２方向についての中心間距離ｄ１と等しくてもよく、異なっていてもよい。Ｙ２方向に対して垂直な方向から観察することを想定すると、後者の場合、凸部ＰＲ１のＸ２方向についての中心間距離ｄ１が上記の範囲内にあれば、凸部ＰＲ１のＹ２方向についての中心間距離は、上記の範囲内になくてもよい。例えば、凸部ＰＲ１のＹ２方向についての中心間距離は、先の上限値と比較してより大きくてもよく、先の下限値と比較してより小さくてもよい。
【００３８】
凸部ＰＲ２のＹ２方向についての中心間距離は、凸部ＰＲ２のＸ２方向についての中心間距離ｄ２と等しくてもよく、異なっていてもよい。Ｙ２方向に対して垂直な方向から観察することを想定すると、後者の場合、凸部ＰＲ２のＸ２方向についての中心間距離ｄ２が上記の範囲内にあれば、凸部ＰＲ２のＹ２方向についての中心間距離は、上記の範囲内になくてもよい。例えば、凸部ＰＲ２のＹ２方向についての中心間距離は、先の上限値と比較してより大きくてもよく、先の下限値と比較してより小さくてもよい。
【００３９】
凸部ＰＲ３のＹ２方向についての中心間距離は、凸部ＰＲ３のＸ２方向についての中心間距離ｄ３と等しくてもよく、異なっていてもよい。Ｙ２方向に対して垂直な方向から観察することを想定すると、後者の場合、凸部ＰＲ３のＸ２方向についての中心間距離ｄ３が上記の範囲内にあれば、凸部ＰＲ３のＹ２方向についての中心間距離は、上記の範囲内になくてもよい。例えば、凸部ＰＲ３のＹ２方向についての中心間距離は、先の上限値と比較してより大きくてもよく、先の下限値と比較してより小さくてもよい。
【００４０】
凸部ＰＲ１は、斜めに交差する２方向に格子状に配列していてもよい。凸部ＰＲ２は、斜めに交差する２方向に格子状に配列していてもよい。そして、凸部ＰＲ３は、斜めに交差する２方向に格子状に配列していてもよい。また、この例では、凸部ＰＲ１乃至ＰＲ３を配置しているが、その代わりにテーパ形状の凹部を配置してもよい。
【００４１】
凸部ＰＲ１乃至ＰＲ３の各々は、テーパ形状、即ち先細り形状を有している。テーパ形状は、例えば、半紡錘形状、円錐及び角錐などの錐体形状、又は切頭円錐及び切頭角錐などの切頭錐体形状である。
【００４２】
凸部ＰＲ１乃至ＰＲ３をテーパ形状とすると、凸部ＰＲ１乃至ＰＲ３を柱状とした場合と比較して、構造ＤＳ１乃至ＤＳ３の反射率を小さくすることができる。この効果は、テーパ形状の凸部ＰＲ１乃至ＰＲ３の代わりにテーパ形状の凹部を設けた場合にも得ることができる。
【００４３】
凸部ＰＲ１乃至ＰＲ３の各々の側面は、傾斜面のみで構成されていてもよく、階段状であってもよい。テーパ形状は、構造ＤＳ１乃至ＤＳ３の光反射率を小さくするのに役立つ。加えて、テーパ形状は、原版からの光透過層１１の取り外しを容易にし、生産性の向上に寄与する。それら凸部ＰＲ１乃至ＰＲ３の一部は、テーパ形状を有していなくてもよい。凸部ＰＲ１乃至ＰＲ３は、相似した形状を有していてもよく、相似した形状を有していなくてもよい。
【００４４】
構造ＤＳ１は、凸部ＰＲ１の配置に対応して溝（即ち、格子線）を格子状に配置してなる回折格子とほぼ同様に機能する。構造ＤＳ２は、凸部ＰＲ２の配置に対応して溝（又は、格子線）を格子状に配置してなる回折格子とほぼ同様に機能する。そして、構造ＤＳ３は、凸部ＰＲ３の配置に対応して溝（又は、格子線）を格子状に配置してなる回折格子とほぼ同様に機能する。但し、構造ＤＳ１乃至ＤＳ３が射出する視感度の高い回折光は、以下に説明するように、特殊な条件のもとでしか観察することができない。
【００４５】
上記の通り、構造ＤＳ１乃至ＤＳ３の各々は、回折格子として機能する。回折格子を照明すると、回折格子は、入射光である照明光の進行方向に対して特定の方向に強い回折光を射出する。
【００４６】
ｍ次回折光（ｍ＝０、±１、±２、・・・）の射出角βは、回折格子の格子線に垂直な面内で光が進行する場合、下記等式から算出することができる。  
ｄ＝ｍλ／（ｓｉｎα−ｓｉｎβ）
この等式において、ｄは回折格子の格子定数を表し、ｍは回折次数を表し、λは入射光及び回折光の波長を表している。また、αは、０次回折光、即ち、透過光又は正反射光の射出角を表している。換言すれば、αの絶対値は照明光の入射角と等しく、反射型回折格子の場合には、照明光の入射方向と正反射光の射出方向とは、回折格子が設けられた界面の法線に関して対称である。
【００４７】
なお、回折格子が反射型である場合、角度αは、０°以上であり且つ９０°未満である。また、回折格子が設けられた界面に対して斜め方向から照明光を照射し、法線方向の角度、即ち０°を境界値とする２つの角度範囲を考えると、角度βは、回折光の射出方向と正反射光の射出方向とが同じ角度範囲内にあるときには正の値であり、回折光の射出方向と照明光の入射方向とが同じ角度範囲内にあるときには負の値である。以下、正反射光の射出方向を含む角度範囲を「正の角度範囲」と呼び、照明光の入射方向を含む角度範囲を「負の角度範囲」と呼ぶ。
【００４８】
法線方向から回折格子を観察する場合、表示に寄与する回折光は射出角βが０°の回折光のみである。従って、この場合、格子定数ｄが波長λと比較してより大きければ、上記等式を満足する波長λ及び入射角αが存在する。即ち、この場合、観察者は、上記等式を満足する波長λを有する回折光を観察することができる。
【００４９】
これに対し、格子定数ｄが波長λと比較してより小さい場合、上記等式を満足する入射角αは存在しない。従って、この場合、観察者は、回折光を観察することができない。
【００５０】
この説明から明らかなように、通常の回折格子とは異なり、構造ＤＳ１乃至ＤＳ３の各々は法線方向に回折光を射出しないか、又は、構造ＤＳ１乃至ＤＳ３の各々が法線方向に射出する回折光は視感度の低いもののみである。
【００５１】
構造ＤＳ１乃至ＤＳ３の各々は、通常の回折格子とは、以下の点で更に相違している。
【００５２】
図５は、或る回折格子が１次回折光を射出する様子を概略的に示す図である。図６は、他の回折格子が１次回折光を射出する様子を概略的に示す図である。
【００５３】
図５及び図６において、ＩＦは回折格子が形成された界面を示し、ＮＬは界面ＩＦの法線を示している。また、ＩＬは複数の波長の光から構成される白色照明光を示し、ＲＬは正反射光又は０次回折光を示し、ＤＬｒ、ＤＬｇ及びＤＬｂは白色照明光ＩＬが分光することにより得られる赤、緑及び青色の１次回折光を示している。
【００５４】
図５において、界面ＩＦには、格子定数が可視光の最短波長、例えば約４００ｎｍよりも大きい回折格子が設けられている。他方、図６において、界面ＩＦには、格子定数が可視光の最短波長よりも小さい回折格子が設けられている。
【００５５】
上記等式から明らかなように、回折格子の格子定数ｄが可視光の最短波長と比較してより大きい場合、界面ＩＦに対して斜め方向から照明光ＩＬを照射すると、図５に示すように、回折格子は、１次回折光ＤＬｒ、ＤＬｇ及びＤＬｂをそれぞれ正の角度範囲内の射出角βｒ、βｇ及びβｂで射出する。なお、図示していないが、このとき、回折格子は、他の波長の光についても同様に１次回折光を射出する。
【００５６】
これに対し、回折格子の格子定数ｄが可視光の最短波長の１／２より大きく且つこの最短波長未満である場合、界面ＩＦに対して斜め方向から照明光ＩＬを照射すると、図６に示すように、回折格子は、１次回折光ＤＬｒ、ＤＬｇ及びＤＬｂをそれぞれ負の角度範囲内の射出角βｒ、βｇ及びβｂで射出する。例えば、角度αが５０°であり、格子定数ｄが３３０ｎｍである場合を考えると、回折格子は、白色照明光ＩＬのうち波長λが５４０ｎｍ（緑）の光を回折させ、１次回折光ＤＬｇを約−６０°の射出角βｇで射出する。
【００５７】
この説明から明らかなように、構造ＤＳ１乃至ＤＳ３の各々は、正の角度範囲内に回折光を射出せずに、負の角度範囲内のみに回折光を射出する。或いは、構造ＤＳ１乃至ＤＳ３の各々は、正の角度範囲内に視感度が低い回折光のみを射出し、負の角度範囲内に視感度が高い回折光を射出する。即ち、構造ＤＳ１乃至ＤＳ３の各々は、通常の回折格子とは異なり、視感度が高い回折光を負の角度範囲内のみに射出する。
【００５８】
また、この表示体１０では、凸部ＰＲ１乃至ＰＲ３はテーパ形状を有している。このような構造を採用した場合、中心間距離ｄ１乃至ｄ３が十分に短ければ、構造ＤＳ１乃至ＤＳ３が設けられた各界面部及びその近傍の領域は、Ｚ１方向又はＺ２方向に連続的に変化した屈折率を有していると見なすことができる。そのため、どの角度から観察しても、構造ＤＳ１乃至ＤＳ３の正反射光についての反射率は小さい。そして、上記の通り、構造ＤＳ１乃至ＤＳ３は、実質的に、法線方向に回折光を射出しない。
【００５９】
従って、この表示体１０は、以下に説明するように、観察条件に応じて異なる像を表示する。
【００６０】
図７は、図１乃至図３に示す表示体を或る条件のもとで観察している様子を概略的に示す図である。図８は、図１乃至図３に示す表示体を他の条件のもとで観察している様子を概略的に示す図である。
【００６１】
図７には、表示体１０の前面を負の角度範囲内の方向から照明し、この表示体１０を正の角度範囲内の方向から観察している様子を描いている。図８には、表示体１０の前面を負の角度範囲内の方向から照明し、この表示体１０を負の角度範囲内の方向から観察している様子を描いている。ここでは、一例として、表示体１０の前面を負の角度範囲内の第１方向から照明した場合、構造ＤＳ１乃至ＤＳ３は、それぞれ、赤、緑及び青色の回折光を負の角度範囲内の第２方向に射出するとする。
【００６２】
上記の通り、構造ＤＳ１乃至ＤＳ３は、視感度が高い回折光を正の角度範囲内に射出しない。そして、構造ＤＳ１乃至ＤＳ３は、正反射光についての反射率が小さい。従って、図７に示す観察条件のもとでは、構造ＤＳ１乃至ＤＳ３は、視感度が高い光を観察者ＯＢに向けて射出しない。そして、領域ＢＡは、回折光を射出しない。それゆえ、正面から観察した場合、画素ＰＸは、領域ＢＡからの正反射光を観察可能なときには白色乃至黒色を表示し、領域ＢＡからの正反射光を殆ど観察できないときには暗灰色乃至黒色を表示する。
【００６３】
これから明らかなように、正面から顕微鏡で観察した場合であって、領域ＢＡからの正反射光を観察可能なときには、領域ＢＡの面積比が大きな画素ＰＸは明るく見え、領域ＢＡの面積比が小さな画素ＰＸは暗く見える。従って、この表示体１０のうち、単位面積に占める領域ＢＡの面積比が大きい部分は明るく見え、この面積比が小さい部分は暗く見える。即ち、この場合、画素ＰＸの配列は、通常、明部と暗部とを含んだ白色乃至黒色の単色画像を表示する。
【００６４】
また、上記の通り、正面から観察した場合であって、領域ＢＡからの正反射光を観察不可能なときには、画素ＰＸに対する領域ＢＡの面積比に拘らず、画素ＰＸは暗く見える。従って、この場合、画素ＰＸの配列は、全体に亘って明るさがほぼ均一な暗灰色乃至黒色の単色画像を表示する。
【００６５】
それゆえ、正面から観察した場合、画素ＰＸの配列は、暗灰色又は黒色印刷層の如く見える。また、観察方向が法線方向に対して平行である場合も、画素ＰＸの配列は、暗灰色又は黒色印刷層の如く見える。
【００６６】
このように、図７に示す条件のもとでは、画素ＰＸの配列は、暗灰色又は黒色印刷層の如く見えるか、又は、明部と暗部とを含んだ白色乃至黒色の単色画像を表示する。なお、ここで、「暗灰色」は、例えば、画素ＰＸの配列又はその一部に法線方向から光を照射し、正反射光の強度を測定したときに、波長が４００ｎｍ乃至７００ｎｍの範囲内にある全ての光成分について反射率が約２５％以下であることを意味する。また、「黒色」は、例えば、画素ＰＸの配列又はその一部に法線方向から光を照射し、正反射光の強度を測定したときに、波長が４００ｎｍ乃至７００ｎｍの範囲内にある全ての光成分について反射率が１０％以下であることを意味する。
【００６７】
図８に示す条件のもとでは、構造ＤＳ１が射出する回折光ＤＬｒと、構造ＤＳ２が射出する回折光ＤＬｇと、構造ＤＳ３が射出する回折光ＤＬｂとは、観察者ＯＢに向けて進行する。例えば、照明光ＩＬの入射角を５０°とし、中心間距離ｄ１、ｄ２及びｄ３をそれぞれ４１７ｎｍ、３３０ｎｍ及び２４５ｎｍとした場合、構造ＤＳ１、ＤＳ２及びＤＳ３は、それぞれ、波長が６８０ｎｍ、５４０ｎｍ及び４００ｎｍの回折光を６０°の回折角で射出する。
【００６８】
領域ＢＡからの正反射光が観察者ＯＢによって知覚されない場合、各画素ＰＸの表示色は、回折光ＤＬｒ回折光ＤＬｇと回折光ＤＬｂとの加法混色によって得られる色である。具体的には、各画素ＰＸの色相は、構造ＤＳ１と構造ＤＳ２と構造ＤＳ３との面積比に依存し、その明度は、構造ＤＳ１乃至ＤＳ３の各々がその画素ＰＸに占める面積比に依存する。従って、これら面積比を適宜設定することにより、画素ＰＸの配列に、多色の階調画像を表示させることができる。
【００６９】
ところで、一般に、物品を観察する場合、特には光反射能及び光散乱能が小さい光吸収性の物品を観察する場合、正反射光を知覚できるように物品と光源とを観察者の目に対して相対的に位置合わせする。そのため、構造ＤＳ１乃至ＤＳ３が設けられていることを知らない観察者は、図７を参照しながら説明した条件のもとでこの表示体１０を観察する可能性が高い。上記の通り、この観察条件のもとでは、構造ＤＳ１乃至ＤＳ３は観察者ＯＢに向けて視感度が高い回折光を射出せず、それゆえ、画素ＰＸの配列は、暗灰色又は黒色印刷層の如く見える。従って、この表示体１０は、回折光を射出し得る構造ＤＳ１乃至ＤＳ３が設けられていることを悟られ難い。
【００７０】
また、正の角度範囲内の方向又は略法線方向から観察した場合に暗灰色又は黒色印刷層の如く見え、負の角度範囲内の方向から観察した場合に回折光に由来する多色の階調画像を表示するという特徴を、他の構成によって再現することは不可能である。即ち、この表示体１０が上記の特殊な光学特性を有していることを悟られたとしても、この表示体１０とは構造が異なる模造品によって先の光学特性を再現することは不可能である。
【００７１】
そして、この表示体１０が表示する多色の階調画像は、正面方向からは観察することはできず、特殊な条件のもとでのみ観察可能である。加えて、この表示体１０の製造、特には構造ＤＳ１乃至ＤＳ３の形成には、高い技術力が必要である。即ち、この表示体１０が表示する多色の階調画像は不正に機械読み取りされ難く、例え、機械読み取りできたとしても、この表示体１０と同一の構造を有する偽造品を製造することは極めて困難である。  
従って、この表示体１０を使用すると、高い偽造防止効果を達成することができる。
【００７２】
この表示体１０において、中心間距離ｄ１乃至ｄ３の各々を一定としたまま凸部ＰＲ１乃至ＰＲ３を高くするか又は凹部を深くすると、構造ＤＳ１乃至ＤＳ３の反射率が小さくなる。その結果、表示体１０は、色純度がより高い黒色を表示可能となる。他方、中心間距離ｄ１乃至ｄ３の各々を一定としたまま凸部ＰＲ１乃至ＰＲ３を低くするか又は凹部を深くすると、構造ＤＳ１乃至ＤＳ３の反射率が大きくなる。その結果、表示体１０が表示可能な最低階調は、黒色から暗灰色へと変化する。凸部ＰＲ１乃至ＰＲ３の高さ又は凹部の深さは、例えば、それぞれ中心間距離ｄ１乃至ｄ３の１／２以上とする。
【００７３】
なお、中心間距離に対する凸部ＰＲ１乃至ＰＲ３の高さ又は凹部の深さの比を大きくすると、表示体１０に色純度が高い黒色を表示させることができるのに加え、より高精度な製造技術が必要となる。即ち、より高い偽造防止効果を達成できる。
【００７４】
上記の通り、表示体１０は、これを斜め方向から観察した場合にのみ多色の階調画像を表示する。その結果、この階調画像は、縦方向の寸法が縮んで見える。
【００７５】
図９は、図１乃至図３に示す表示体に記録することが可能な潜像の一例を概略的に示す平面図である。図１０は、図９に示す潜像を可視化してなる可視像を概略的に示す斜視図である。図１１は、図１乃至図３に示す表示体に記録することが可能な潜像の他の例を概略的に示す平面図である。図１２は、図１１に示す潜像を可視化してなる可視像を概略的に示す斜視図である。図１３は、図１乃至図３に示す表示体に記録することが可能な潜像の更に他の例を概略的に示す平面図である。図１４は、図１３に示す潜像を可視化してなる可視像を概略的に示す斜視図である。なお、図９、図１１及び図１３では、潜像を破線で示している。
【００７６】
図９に示す潜像は、表示させるべき画像と同じ縦横の寸法比を有している。このように潜像を記録すると、この潜像を可視化してなる可視像は、図１０に示すように縦方向に縮んで見える。
【００７７】
図１１に示す潜像は、表示させるべき画像を縦方向に引き伸ばした形状を有している。このように潜像を記録すると、図１２に示すように、この潜像を可視化してなる可視像が縦方向に縮んで見えるのを防止できる。しかしながら、この場合、奥側は、手前側と比較して縮んで見える。
【００７８】
図１３に示す潜像は、表示させるべき画像を縦方向に引き伸ばすと共に、奥側を横方向に引き伸ばした形状を有している。このように潜像を記録すると、図１４に示すように、この潜像を可視化してなる可視像が縦方向に縮んで見えるのを防止できると共に、奥側が手前側と比較して縮んで見えるのを防止できる。
【００７９】
多色の階調画像を観察するために表示体１０をＸ１方向に対して垂直な面内で傾ける場合、画素ＰＸには、以下に説明する構成を採用してもよい。
【００８０】
図１５は、図１乃至図３に示す表示体の一変形例を概略的に示す平面図である。  
この表示体１０は、以下の構成を採用したこと以外は、図１乃至図８を参照しながら説明した表示体１０と同様である。即ち、図１５に示す表示体１０では、図２に示す表示体１０と比較して、各画素ＰＸはＹ１方向に細長い。そして、図１５に示す表示体１０では、各画素ＰＸにおいて、構造ＤＳ１乃至ＤＳ３をＸ１方向に配列させる代わりに、Ｙ１方向に配列させている。
【００８１】
各画素ＰＸをＹ１方向に細長くすると、図１１乃至図１４を参照しながら説明した構成を採用した場合に、例えば、縦方向と横方向とで解像度をほぼ等しくすることができる。なお、この効果は、各画素ＰＸにおいて構造ＤＳ１乃至ＤＳ３をＸ１方向に配列させた場合にも得ることができる。
【００８２】
上述した表示体１０では、領域ＢＡは平坦面である。それゆえ、領域ＢＡからの正反射光を観察可能な条件のもとで表示体１０を正面から観察した場合、表示体１０は、通常、明部と暗部とを含んだ白色乃至黒色の単色画像を表示する。具体的には、表示体１０は、上述した多色の階調画像を白黒画像に変換し、この白黒画像を白黒反転することにより得られる単色画像又はこれとほぼ等しい画像を表示する。
【００８３】
この単色画像と多色の階調画像との間の変化は、極めて特殊である。従って、この単色画像は、高い偽造防止効果を達成するうえで有利に作用し得る。但し、このような単色画像は、多色の階調画像の存在を悟られ易くする可能性がある。
【００８４】
表示体１０を正面から見たときに上述した単色画像が表示されるのを防止するために、例えば、領域ＢＡに、構造ＤＳ１乃至ＤＳ３と同様の構造を設けてもよい。そのような構造を領域ＢＡに設けると、領域ＢＡの反射率が小さくなる。従って、表示体１０を正面から観察した場合に上記の単色画像が表示されるのを防止できる。
【００８５】
なお、この場合、領域ＢＡに設ける凸部又は凹部の中心間距離は、中心間距離ｄ１乃至ｄ３とは異ならしめる。例えば、領域ＢＡに設ける凸部又は凹部の中心間距離は、中心間距離ｄ１乃至ｄ３よりも小さな値とする。これにより、構造ＤＳ１乃至ＤＳ３からの回折光を観察可能な条件のもとで、領域ＢＡに設ける構造からの回折光が観察されるのを防止する。
【００８６】
また、この場合、領域ＢＡの全体に先の構造を設けてもよく、領域ＢＡの一部にのみ先の構造を設けてもよい。後者の場合、この構造が各画素ＰＸにおいて占める面積は、画素ＰＸ間で等しくてもよく、異なっていてもよい。
【００８７】
領域ＢＡの全体又は一部に、上述した凸部又は凹部からなる構造を設ける場合、領域ＢＡに設ける構造と構造ＤＳ１乃至ＤＳ３との間で、凸部又は凹部の配列方向を異ならしめてもよい。例えば、構造ＤＳ１乃至ＤＳ３間で凸部又は凹部の配列方向を互いに等しくし、領域ＢＡに設ける構造では、凸部又は凹部の配列方向を、構造ＤＳ１乃至ＤＳ３における凸部又は凹部の配列方向に対してＺ１方向に平行な軸の周りで４５°回転させた方向としてもよい。
【００８８】
このような構造を採用した場合、領域ＢＡに設ける構造と構造ＤＳ１乃至ＤＳ３の１つとで凸部又は凹部の中心間距離が等しいとしても、領域ＢＡに設ける構造は、構造ＤＳ１乃至ＤＳ３とは異なる方向に回折光を射出する。従って、領域ＢＡに設けられる構造からの回折光が構造ＤＳ１乃至ＤＳ３からの回折光と同時に観察されるのを防止することができる。なお、この場合、領域ＢＡに設けられる構造からの回折光が構造ＤＳ１乃至ＤＳ３からの回折光と同時に観察されるのを防止できれば、領域ＢＡに設ける構造における凸部又は凹部の中心間距離は、構造ＤＳ１乃至ＤＳ３における凸部又は凹部の中心間距離とは異なっていてもよく、それらの何れか１つと同一であってもよい。
【００８９】
表示体１０を正面から見たときに上述した単色画像が表示されるのを防止するために、以下の構成を採用してもよい。即ち、上記の表示体１０から、反射層１３を省略する。そして、光透過層１１の背面と向き合うように光吸収層を設置する。
【００９０】
例えば、光透過層１１のレリーフ構造が設けられた面を背面とした場合、このレリーフ構造が設けられた面を光透過層１１とは屈折率が異なる第２の光透過層で被覆し、更に、この第２の光透過層を間に挟んで光透過層１１と向き合うように光吸収層を設ける。或いは、光透過層１１のレリーフ構造が設けられた面を前面とした場合、その背面と向き合うように光吸収層を設ける。光吸収層としては、例えば、暗灰色又は黒色層を使用する。
【００９１】
このような構成を採用すると、領域ＢＡの反射率が小さくなる。そして、領域ＢＡを透過した入射光の殆どは光吸収層によって吸収される。従って、表示体１０を正面から観察した場合に上記の単色画像が表示されるのを防止できる。
【００９２】
なお、反射層１３を省略すると、構造ＤＳ１乃至ＤＳ３の回折効率が低下する。従って、この構成を採用すると、反射層１３を省略しない場合と比較して、多色の階調画像のコントラスト比が低下する可能性がある。
【００９３】
上述した表示体１０では、これに多色の階調画像を表示させるべく、画素ＰＸ間で構造ＤＳ１乃至ＤＳ３の面積を異ならしめている。その代わりに、画素ＰＸ間で凸部ＰＲ１乃至ＰＲ３の高さ又は凹部の深さを異ならしめてもよい。
【００９４】
例えば、或る構造ＤＳ１において凸部ＰＲ１を低くすると、その構造ＤＳ１の回折効率が低下する。すなわち、この構造ＤＳ１が射出する回折光の強度が小さくなる。従って、例えば、画素ＰＸ間で構造ＤＳ１乃至ＤＳ３の面積を同一とした場合であっても、表示体１０に多色の階調画像を表示させることができる。
【００９５】
なお、構造ＤＳ１乃至ＤＳ３の面積は高精度に制御できるのに対し、凸部ＰＲ１乃至ＰＲ３の高さ又は凹部の深さは高精度に制御することが難しい。従って、そのような表示体１０と同一の構造を有する偽造品を製造することは極めて困難である。
【００９６】
また、ここでは、表示体１０に多色の階調画像を表示させるべく、３種の構造ＤＳ１乃至ＤＳ３を利用したが、構造ＤＳ１乃至ＤＳ３の１つは省略してもよい。或いは、表示体１０に多色の階調画像を表示させるために、４種以上の構造を利用してもよい。
【００９７】
また、ここでは、表示体１０に多色の階調画像を表示させることを説明したが、その代わりに、表示体１０には単色の階調画像を表示させてもよい。即ち、構造ＤＳ１乃至ＤＳ３の２つは省略してもよい。
【００９８】
上述した表示体１０は、例えば、偽造防止用ラベルとして粘着剤等を介して印刷物や物品に貼り付けて使用することができる。上記の通り、表示体１０は偽造及び模造が不可能又は困難である。従って、このラベルを物品に支持させてなるラベル付き物品も、偽造及び模造が不可能又は困難である。
【００９９】
図１６は、ラベル付き物品の一例を概略的に示す平面図である。図１７は、図１６に示すラベル付き物品のＸＶＩＩ−ＸＶＩＩ線に沿った断面図である。
【０１００】
図１６及び図１７には、ラベル付き物品の一例として、印刷物１００を描いている。この印刷物１００は、ＩＣ（ｉｎｔｅｇｒａｔｅｄ  ｃｉｒｃｕｉｔ）カードであって、基材２０を含んでいる。基材２０は、例えば、プラスチックからなる。基材２０の一方の主面には凹部が設けられており、この凹部にＩＣチップ３０が嵌め込まれている。ＩＣチップ３０の表面には電極が設けられており、これら電極を介してＩＣへの情報の書き込み及び／又はＩＣに記録された情報の読出しが可能である。基材２０上には、印刷層４０が形成されている。基材２０の印刷層４０が形成された面には、上述した表示体１０が例えば粘着層５０を介して固定されている。表示体１０は、例えば、粘着ステッカとして又は転写箔として準備しておき、これを印刷層４０に貼りつけることにより、基材２０に固定する。
【０１０１】
この印刷物１００は、上述した表示体１０を含んでいる。それゆえ、この印刷物１００の偽造及び模造は不可能又は困難である。しかも、この印刷物１００は、表示体１０に加えて、ＩＣチップ３０及び印刷層４０を更に含んでいるため、それらを利用した偽造防止対策を採用することができる。
【０１０２】
なお、図１６及び図１７には、表示体１０を含んだ印刷物としてＩＣカードを例示しているが、表示体１０を含んだ印刷物は、これに限られない。例えば、表示体１０を含んだ印刷物は、磁気カード、無線カード及びＩＤ（ｉｄｅｎｔｉｆｉｃａｔｉｏｎ）カードなどの他のカードであってもよい。或いは、表示体１０を含んだ印刷物は、商品券及び株券などの有価証券であってもよい。或いは、表示体１０を含んだ印刷物は、真正品であることが確認されるべき物品に取り付けられるべきタグであってもよい。或いは、表示体１０を含んだ印刷物は、真正品であることが確認されるべき物品を収容する包装体又はその一部であってもよい。
【０１０３】
また、図１６及び図１７に示す印刷物１００では、表示体１０を基材２０に貼り付けているが、表示体１０は、他の方法で基材に支持させることができる。例えば、基材として紙を使用した場合、表示体１０を紙に漉き込み、表示体１０に対応した位置で紙を開口させてもよい。或いは、基材として光透過性の材料を使用する場合、その内部に表示体１０を埋め込んでもよく、基材の裏面、即ち表示面とは反対側の面に表示体１０を固定してもよい。
【０１０４】
また、ラベル付き物品は、印刷物でなくてもよい。即ち、印刷層を含んでいない物品に表示体１０を支持させてもよい。例えば、表示体１０は、美術品などの高級品に支持させてもよい。
【０１０５】
表示体１０は、偽造防止以外の目的で使用してもよい。例えば、表示体１０は、玩具、学習教材又は装飾品等としても利用することができる。
【図面の簡単な説明】
【０１０６】
【図１】本発明の一態様に係る表示体を概略的に示す平面図。
【図２】図１に示す表示体の一部を拡大して示す平面図。
【図３】図２に示す表示体のＩＩＩ−ＩＩＩ線に沿った断面図。
【図４】図１乃至図３に示す表示体が含んでいる構造を概略的に示す斜視図。
【図５】或る回折格子が１次回折光を射出する様子を概略的に示す図。
【図６】他の回折格子が１次回折光を射出する様子を概略的に示す図。
【図７】図１乃至図３に示す表示体を或る条件のもとで観察している様子を概略的に示す図。
【図８】図１乃至図３に示す表示体を他の条件のもとで観察している様子を概略的に示す図。
【図９】図１乃至図３に示す表示体に記録することが可能な潜像の一例を概略的に示す平面図。
【図１０】図９に示す潜像を可視化してなる可視像を概略的に示す斜視図。
【図１１】図１乃至図３に示す表示体に記録することが可能な潜像の他の例を概略的に示す平面図。
【図１２】図１１に示す潜像を可視化してなる可視像を概略的に示す斜視図。
【図１３】図１乃至図３に示す表示体に記録することが可能な潜像の更に他の例を概略的に示す平面図。
【図１４】図１３に示す潜像を可視化してなる可視像を概略的に示す斜視図。
【図１５】図１乃至図３に示す表示体の一変形例を概略的に示す平面図。
【図１６】ラベル付き物品の一例を概略的に示す平面図。
【図１７】図１６に示すラベル付き物品のＸＶＩＩ−ＸＶＩＩ線に沿った断面図。
【符号の説明】
【０１０７】
１０…表示体、１１…光透過層、１３…反射層、２０…基材、３０…ＩＣチップ、４０…印刷層、５０…粘着層、１００…印刷物、１１１…光透過性基材、１１２…光透過性樹脂層、ＢＡ…領域、ＤＬｂ…回折光、ＤＬｇ…回折光、ＤＬｒ…回折光、ＤＳ１…構造、ＤＳ２…構造、ＤＳ３…構造、ＩＦ…界面部、ＩＬ…照明光、ＬＳ…光源、ＮＬ…法線、ＯＢ…観察者、ＰＲ…凸部、ＰＸ…画素、ＲＬ…正反射光。
【図１】
2010038940.tif 000003
【図２】
2010038940.tif 000004
【図３】
2010038940.tif 000005
【図４】
2010038940.tif 000006
【図５】
2010038940.tif 000007
【図６】
2010038940.tif 000008
【図７】
2010038940.tif 000009
【図８】
2010038940.tif 000010
【図９】
2010038940.tif 000011
【図１０】
2010038940.tif 000012
【図１１】
2010038940.tif 000013
【図１２】
2010038940.tif 000014
【図１３】
2010038940.tif 000015
【図１４】
2010038940.tif 000016
【図１５】
2010038940.tif 000017
【図１６】
2010038940.tif 000018
【図１７】
2010038940.tif 000019